(57)【要約】【課題】給水を維持しつつ古いポンプ群から新しいポンプ群に取り替えることができる給水維持方法を提供する。【解決手段】本実施形態の給水維持方法は、第１ポンプ群６１〜６４のポンプ６１用の前段バルブ２１を閉じ、ポンプ６１を取り外す工程と、第１ポンプ群６１〜６４の外部にポンプ６１を配置し、前段迂回管７１により前段並列管１１とポンプ６１の間を接続し、後段迂回管７２によりポンプ６１と分水栓取付部位１３９との間を接続し、前段バルブ２１を開く工程、第１ポンプ群６１〜６４を第２ポンプ群８１〜８４に取り替え、第２ポンプ群８１〜８４の一部のポンプ８２〜８４を前段バルブ２２〜２４に接続し、前段バルブ２２〜２４を開く工程と、ポンプ６１、前段迂回管７１、及び後段迂回管７２を取り外す工程と、第２ポンプ群８１〜８４が有する残りのポンプ８１を前段バルブ２１に接続し、前段バルブ２１を開く工程と、を備える。【選択図】図２
2019163655.tif 000002
【特許請求の範囲】
【請求項１】
複数のポンプを有するポンプ群と、前記複数のポンプへの水が流通する前段給水管群と、前記複数のポンプから複数の水供給先への水が流通する後段給水管群と、前記複数のポンプの駆動を制御する制御部と、を備える給水システムについて、前記ポンプ群を取り替えるときの給水維持方法であって、
前記ポンプ群により給水しつつ、前記ポンプ群の位置とは別の位置に仮設ポンプを配置し、前段迂回管により前記仮設ポンプと前記前段給水管群との間を接続し、後段迂回管により前記仮設ポンプと前記後段給水管群との間を接続し、前記仮設ポンプを併用して給水する、仮設ポンプ接続工程と、
前記仮設ポンプにより給水しつつ、前記ポンプ群の一部又は全部を水の流通を停止させるようにバルブを閉じてから別のポンプ群に取り替え、前記別のポンプ群の一部又は全部を水の流通を再開させるようにバルブを開いて併用して給水させる、ポンプ群取替工程と、
前記別のポンプ群の一部又は全部により給水しつつ、前記仮設ポンプを水の流通を停止させるようにバルブを閉じてから取外す、仮設ポンプ取外し工程と、
を備える給水維持方法。
【請求項２】
複数のポンプを有するポンプ群と、前記複数のポンプへの水が流通する前段給水管群と、前記複数のポンプから複数の水供給先への水が流通する後段給水管群と、前記複数のポンプの駆動を制御する制御部と、を備える給水システムについて、前記ポンプ群を取り替えるときの給水維持方法であって、
前記複数のポンプのうちの一部のポンプの使用を停止し、前記ポンプ群により給水しつつ、前記ポンプ群の位置とは別の位置に、使用を停止した前記一部のポンプを仮設ポンプとして配置し、前段迂回管により前記仮設ポンプと前記前段給水管群との間を接続し、後段迂回管により前記仮設ポンプと前記後段給水管群との間を接続し、前記仮設ポンプを併用して給水する、仮設ポンプ接続工程と、
前記仮設ポンプにより給水しつつ、前記ポンプ群の一部又は全部を水の流通を停止させるようにバルブを閉じてから別のポンプ群に取り替え、前記別のポンプ群の一部又は全部を水の流通を再開させるようにバルブを開いて併用して給水させる、ポンプ群取替工程と、
前記別のポンプ群の一部又は全部により給水しつつ、前記仮設ポンプを水の流通を停止させるようにバルブを閉じてから取外す、仮設ポンプ取外し工程と、
を備える給水維持方法。
【請求項３】
複数のポンプを有するポンプ群と、前記複数のポンプへの水が流通する前段給水管群と、前記複数のポンプから複数の水供給先への水が流通する後段給水管群と、前記複数のポンプの駆動を制御する制御部と、を備える給水システムについて、前記ポンプ群を取り替えるときの給水維持方法であって、
前記前段給水管群は、複数の前記ポンプそれぞれに対応して並列する複数の前段並列管、及び前記複数の前段並列管それぞれを開閉する複数のバルブを有し、
前記後段給水管群は、複数の前記ポンプそれぞれに対応して並列する複数の後段並列管、及び前記複数の後段並列管が合流して水が流通する合流管を有し、
前記ポンプ群が有する前記複数のポンプのうちの特定のポンプを特定ポンプとして選択し、水の流通を停止させるように前記特定ポンプ用の前記バルブを閉じ、前記特定ポンプを前記ポンプ群から取り外す、特定ポンプ取外し工程と、
前記ポンプ群の位置とは別の位置に仮設ポンプを配置し、前段迂回管により前記特定ポンプ用の前段並列管と前記仮設ポンプとの間を接続すると共に、後段迂回管により前記仮設ポンプと前記合流管における複数の前記後段並列管よりも下流の部位との間を接続し、前記前段迂回管及び前記後段迂回管に水が流通するように前記特定ポンプ用の前記バルブを開く、仮設ポンプ接続工程と、
前記特定ポンプ以外の前記ポンプ群を別のポンプ群に取り替え、前記別のポンプ群が有する一部の前記ポンプを、前記特定ポンプ用以外の前記前段並列管及び前記後段並列管に接続された状態にし、前記特定ポンプ用以外の前記前段並列管及び前記後段並列管に水が流通するように前記特定ポンプ用以外の前記バルブを開く、ポンプ群取替工程と、
前記仮設ポンプ、前記前段迂回管、及び前記後段迂回管を前記特定ポンプ用の前記前段並列管及び前記合流管から取り外す、仮設ポンプ取外し工程と、
前記別のポンプ群が有する残りのポンプを、前記特定ポンプ用の前記前段並列管及び前記後段並列管に接続された状態にし、前記特定ポンプ用の前記前段並列管及び前記後段並列管に水が流通するように前記特定ポンプ用の前記バルブを開く、残りポンプ接続工程と、
を備える給水維持方法。
【請求項４】
前記仮設ポンプは、前記ポンプ群が有していた前記ポンプ、又は前記ポンプ群が有するポンプ以外のポンプである、請求項１又は３に記載の給水維持方法。
【請求項５】
前記仮設ポンプは、前記ポンプ群用の電源とは異なる電源に接続される、請求項１〜４のいずれかに記載の給水維持方法。
【発明の詳細な説明】
【技術分野】
【０００１】
本発明は、水道工事等における給水維持方法に関する。
【背景技術】
【０００２】
マンション等の建物においては、水道水を水道管からマンションの各階へと引き上げるポンプが設置されている。このポンプに関する文献として特許文献１が開示されている。特許文献１には、水道水を水道管からマンションの各階へと引き上げるポンプが開示されている。このポンプは、通常、複数のポンプで構成されてポンプ群を形成している。このポンプ群を交換する水道工事のときには、事前に建物の住人に水道工事によって特定の時間帯で水道が止まることが知らされ、水道工事業者は、その時間帯に、古いポンプ群を新しいポンプ群に取り替える。
【先行技術文献】
【特許文献】
【０００３】
【特許文献１】特開平９−２９６４８３号公報
【発明の概要】
【発明が解決しようとする課題】
【０００４】
しかしながら、古いポンプを取外してから新しいポンプを取り付けるまでの間に水道水の供給を停止する必要があり、建物の住人は水道水を使用することができない。
【０００５】
従って、本発明は、既設のポンプ群から別のポンプ群に取り替える作業を、給水を維持しながら行うことができる給水維持方法を提供することを目的とする。
【課題を解決するための手段】
【０００６】
（１）本発明は、複数のポンプ（６１〜６４）を有するポンプ群（６１〜６４）と、前記複数のポンプ（６１〜６４）への水が流通する前段給水管群（１０）と、前記複数のポンプ（６１〜６４）から複数の水供給先（１１１〜１１５）への水が流通する後段給水管群（４０）と、前記複数のポンプ（６１〜６４）の駆動を制御する制御部（５０）と、を備える給水システム（１００）について、前記ポンプ群（６１〜６４）を取り替えるときの給水維持方法であって、前記ポンプ群（６１〜６４）により給水しつつ、前記ポンプ群（６１〜６４）の位置とは別の位置に仮設ポンプ（６１）を配置し、前段迂回管（７１）により前記仮設ポンプ（６１）と前記前段給水管群（１０）との間を接続し、後段迂回管（７２）により前記仮設ポンプ（６１）と前記後段給水管群（４０）との間を接続し、前記仮設ポンプ（６１）を併用して給水する、仮設ポンプ接続工程と、前記仮設ポンプ（６１）により給水しつつ、前記ポンプ群の一部又は全部（６２〜６４又は６１〜６４）を水の流通を停止させるようにバルブを閉じてから別のポンプ群（８１〜８４）に取り替え、前記別のポンプ群（８１〜８４）の一部（８２〜８４）又は全部（８１〜８４）を水の流通を再開させるようにバルブを開いて併用して給水させる、ポンプ群取替工程と、前記別のポンプ群（８１〜８４）の一部（８２〜８４）又は全部（８１〜８４）により給水しつつ、前記仮設ポンプ（６１）を水の流通を停止させるようにバルブを閉じてから取外す、仮設ポンプ取外し工程と、を備える給水維持方法に関する。
【０００７】
（２）本発明は、複数のポンプ（６１〜６４）を有するポンプ群（６１〜６４）と、前記複数のポンプ（６１〜６４）への水が流通する前段給水管群（１０）と、前記複数のポンプ（６１〜６４）から複数の水供給先（１１１〜１１５）への水が流通する後段給水管群（４０）と、前記複数のポンプ（６１〜６４）の駆動を制御する制御部（５０）と、を備える給水システム（１００）について、前記ポンプ群（６１〜６４）を取り替えるときの給水維持方法であって、前記複数のポンプのうちの一部のポンプの使用を停止し、前記ポンプ群（６１〜６４）により給水しつつ、前記ポンプ群（６１〜６４）の位置とは別の位置に、使用を停止した前記一部のポンプを仮設ポンプ（６１）として配置し、前段迂回管（７１）により前記仮設ポンプ（６１）と前記前段給水管群（１０）との間を接続し、後段迂回管（７２）により前記仮設ポンプ（６１）と前記後段給水管群（４０）との間を接続し、前記仮設ポンプ（６１）を併用して給水する、仮設ポンプ接続工程と、前記仮設ポンプ（６１）により給水しつつ、前記ポンプ群の一部又は全部（６２〜６４又は６１〜６４）を水の流通を停止させるようにバルブを閉じてから別のポンプ群（８１〜８４）に取り替え、前記別のポンプ群（８１〜８４）の一部（８２〜８４）又は全部（８１〜８４）を水の流通を再開させるようにバルブを開いて併用して給水させる、ポンプ群取替工程と、前記別のポンプ群（８１〜８４）の一部（８２〜８４）又は全部（８１〜８４）により給水しつつ、前記仮設ポンプ（６１）を水の流通を停止させるようにバルブを閉じてから取外す、仮設ポンプ取外し工程と、を備える給水維持方法に関する。
【０００８】
（３）本発明は、複数のポンプ（６１〜６４）を有するポンプ群（６１〜６４）と、前記複数のポンプ（６１〜６４）への水が流通する前段給水管群（１０）と、前記複数のポンプ（６１〜６４）から複数の水供給先（１１１〜１１５）への水が流通する後段給水管群（４０）と、前記複数のポンプ（６１〜６４）の駆動を制御する制御部（５０）と、を備える給水システム（１００）について、前記ポンプ群（６１〜６４）を取り替えるときの給水維持方法であって、前記前段給水管群（１０）は、複数の前記ポンプ（６１〜６４）それぞれに対応して並列する複数の前段並列管（１１〜１４）、及び前記複数の前段並列管（１１〜１４）それぞれを開閉する複数のバルブ（２１〜２４）を有し、前記後段給水管群（４０）は、複数の前記ポンプ（６１〜６４）それぞれに対応して並列する複数の後段並列管（４１〜４４）、及び前記複数の後段並列管（４１〜４４）が合流して水が流通する合流管（３９）を有し、前記ポンプ群（６１〜６４）が有する前記複数のポンプ（６１〜６４）のうちの特定のポンプ（６１）を特定ポンプとして選択し、水の流通を停止させるように前記特定ポンプ（６１）用の前記バルブ（２１）を閉じ、前記特定ポンプ（６１）を前記ポンプ群（６１〜６４）から取り外す、特定ポンプ取外し工程と、前記ポンプ群（６１〜６４）の位置とは別の位置に仮設ポンプ（６１）を配置し、前段迂回管（７１）により前記特定ポンプ（６１）用の前段並列管（１１）と前記仮設ポンプ（６１）との間を接続すると共に、後段迂回管（７２）により前記仮設ポンプ（６１）と前記合流管（３９）における複数の前記後段並列管（４１〜４４）よりも下流の部位（１３９）との間を接続し、前記前段迂回管（７１）及び前記後段迂回管（７２）に水が流通するように前記特定ポンプ（６１）用の前記バルブ（２１）を開く、仮設ポンプ接続工程と、前記特定ポンプ（６１）以外の前記ポンプ群（６２〜６４）を別のポンプ群（８１〜８４）に取り替え、前記別のポンプ群（８１〜８４）が有する一部の前記ポンプ（８２〜８４）を、前記特定ポンプ（６１）用以外の前記前段並列管（１２〜１４）及び前記後段並列管（４２〜４４）に接続された状態にし、前記特定ポンプ（６１）用以外の前記前段並列管（１２〜１４）及び前記後段並列管（４２〜４４）に水が流通するように前記特定ポンプ（６１）用以外の前記バルブ（２２〜２４）を開く、ポンプ群取替工程と、前記仮設ポンプ（６１）、前記前段迂回管（７１）、及び前記後段迂回管（７２）を前記特定ポンプ（６１）用の前記前段並列管（７１）及び前記合流管（３９）から取り外す、仮設ポンプ取外し工程と、前記別のポンプ群（８１〜８４）が有する残りのポンプ（８１）を、前記特定ポンプ（６１）用の前記前段並列管（１１）及び前記後段並列管（１４）に接続された状態にし、前記特定ポンプ（６１）用の前記前段並列管（１１）及び前記後段並列管（４１）に水が流通するように前記特定ポンプ（６１）用の前記バルブ（２１）を開く、残りポンプ接続工程と、を備える給水維持方法に関する。
【０００９】
（４）  （１）又は（３）の給水維持方法において、前記仮設ポンプは、前記ポンプ群（６１〜６４）が有していた前記ポンプ（６１）、又は前記ポンプ群（６１〜６４）が有するポンプ（６１〜６４）以外のポンプであってもよい。
【００１０】
（５）  （１）〜（４）のいずれかの給水維持方法において、前記仮設ポンプは、前記ポンプ群（６１〜６４）用の電源とは異なる電源に接続されてもよい。
【発明の効果】
【００１１】
本発明によれば、既設のポンプ群から別のポンプ群に取り替える作業を、給水を維持しながら行うことができる。
【図面の簡単な説明】
【００１２】
【図１】本発明の一実施形態に係る給水維持方法が適用される給水システムを示す概略図である。
【図２】本発明の一実施形態に係る給水維持方法において、第１ポンプユニットの特定のポンプを取外し、別の場所に仮設ポンプとして配置した様子を示す工程図である。
【図３Ａ】合流管に孔を開ける工程を示す概略図である。
【図３Ｂ】合流管に孔を開ける工程を示す概略図である。
【図４Ａ】合流管に後段迂回管を取り付ける工程を示す概略図である。
【図４Ｂ】合流管に後段迂回管を取り付ける工程を示す概略図である。
【図５】本発明の一実施形態に係る給水維持方法において、第１ポンプユニットを取外した様子を示す工程図である。
【図６】本発明の一実施形態に係る給水維持方法において、第２ポンプユニットを取り付けた様子を示す工程図である。
【図７】本発明の一実施形態に係る図６に対応する工程図であり、第２ポンプユニットを取り付けるときに一部のポンプ及び中段並列管を、前段バルブに取り付けた様子を示す工程図である。
【図８】本発明の一実施形態に係る仮設ポンプを取外した様子を示す工程図である。
【図９】本発明の一実施形態に係る第２ポンプユニットにおける残りのポンプ及び中段並列管を、前段バルブに取り付けた様子を示す工程図である。
【発明を実施するための形態】
【００１３】
以下、図面を参照して、本発明の一実施形態の給水維持方法について説明する。
〔給水システムの全体構成〕
図１は、本発明の一実施形態に係る給水システム１００を示す概略図である。図１に示すように、給水システム１００は、貯水槽としての受水槽１と、第１ポンプ群６１〜６４と、制御部５０と、前段給水管群１０と、後段給水管群４０と、分岐管１２１〜１２５、水栓１３１〜１３５を備える。本実施形態では、第１ポンプ群６１〜６４、後段給水管群４０、及び制御部５０がユニット化されて、ポンプユニット６０を構成している。
【００１４】
〔受水槽〕
受水槽１は、水道引き込み管８から引き込んだ水道水を貯水するタンクである。受水槽１には、建造物１１０の１日の水使用量の１／３〜１／２の水量の水が貯水されている。
【００１５】
〔第１ポンプ群〕
第１ポンプ群６１〜６４は、並列して設けられる複数のポンプとしてポンプ６１、６２、６３、６４を有する。ポンプ６１、６２、６３、６４は、マンションの住人が使用する水量に応じて稼働する。例えば、最も少ない水量が使用されるときは１つのポンプが駆動し、最も多い水量が使用されるときは３つのポンプが駆動する。ポンプ６１、６２、６３、６４は、ローテーションで駆動し、４つのうちの１つは、予備として駆動しない状態になるように制御されている。第１ポンプ群６１〜６４は、高架水槽を用いずに受水槽１から水栓１３１〜１３５へと水を直接的に供給する給水システム１００（加圧給水方式）に適用されるものであるから、加圧給水ポンプとも言う。
【００１６】
制御部５０は、複数のポンプ６１〜６４の駆動を制御することにより、複数のポンプ６１〜６４を通過する水道水の量を調節する部位である。制御部５０は、動力分電盤９２に配線によって接続されると共に、複数のポンプ６１〜６４それぞれに配線によって接続されている。なお、動力分電盤９２は、第１ポンプ群６１〜６４に供給する電源の機能も有している。
【００１７】
〔前段給水管群〕
前段給水管群１０は、受水槽１から複数のポンプ６１〜６４への水を流通させる構成部材（管、バルブ等）の集合体をいう。前段給水管群１０は、上流側から順に、連結管９と、複数の前段並列管１１〜１４と、複数の前段バルブ２１〜２４と、複数の中段並列管３１〜３４と、を備える。
【００１８】
連結管９は、複数の前段並列管１１〜１４の上流側の端部を連結している管である。
複数の前段並列管１１〜１４は、複数のポンプ６１〜６４それぞれに対応して並列する管である。前段並列管１１〜１４の上流側の端部は連結管９に連結され、前段並列管１１〜１４の下流側の端部は前段バルブ２１〜２４に連結されている。前段並列管１１〜１４は、連結管９から分岐した水道水を、複数のポンプ６１〜６４それぞれに流れ込むように、通過させる。
【００１９】
複数の前段バルブ２１〜２４は、前段並列管１１〜１４の下流側の端部に配置される。複数の前段バルブ２１〜２４は、手動によって複数の前段並列管１１〜１４それぞれを開閉するように、操作される。
【００２０】
複数の中段並列管３１〜３４は、複数のポンプ６１〜６４それぞれに対応して並列する管である。中段並列管３１〜３４の上流側の端部は複数の前段バルブ２１〜２４それぞれと連結され、中段並列管３１〜３４の下流側の端部はポンプ６１〜６４の導入口と連結されている。中段並列管３１〜３４は、前段バルブ２１〜２４に対して着脱可能に構成されている。第１ポンプユニット６０が取り外されるときには、第１ポンプユニット６０の中段並列管３１〜３４と前段バルブ２１〜２４との間が分離される。
【００２１】
〔後段給水管群〕
後段給水管群４０は、複数のポンプ６１〜６４から複数の水供給先としての各階の空間区画部１１１〜１１５への水を流通させる構成部材（管、バルブ等）の集合体をいう。後段給水管群４０は、複数の後段並列管４１〜４４と、複数の後段バルブ５１〜５４と、合流管３９と、を備える。
【００２２】
複数の後段並列管４１〜４４は、複数のポンプ６１〜６４それぞれに対応して並列する管である。後段並列管４１〜４４の上流側の端部は複数のポンプ６１〜６４の排出口に連結され、後段並列管４１〜４４の下流側の端部は合流管３９に連結されている。
【００２３】
複数の後段バルブ５１〜５４は、後段並列管４１〜４４の途中に配置される。複数の後段バルブ５１〜５４は、手動によって複数の後段並列管４１〜４４それぞれ開閉するように、操作される。
【００２４】
合流管３９は、複数の後段並列管４１〜４４を流通した水が合流して流通する管である。合流管３９は、第１ポンプユニット６０の内外に配置されて連通されている。従って、第１ポンプユニット６０が取り外されるときには、合流管３９は、第１ポンプユニット６０の内外で分離される。第１ポンプユニット６０の外に配置される合流管３９には、図２を参照しつつ後述する後段迂回管７２が取り付けられることになる。この後段迂回管７２の取付方法については、図３及び図４を参照しつつ説明する。また、合流管３９は、分水栓取付部位１３９よりも下流側において、建造物１１０の１階から上方の階へと上下方向に延びる部位を有する。この合流管３９の上下方向に延びる部位の中では、水は複数の第１ポンプ群６１〜６４により水圧を掛けられて上方に向かって流れる。
【００２５】
（分岐管）
分岐管１２１〜１２５は、合流管３９から建造物１１０の複数の空間区画部１１１〜１１５に向けて分岐している。なお、複数の空間区画部１１１〜１１５は、建造物１１０の中で鉛直方向に並んでいる。空間区画部１１１〜１１５は、床、壁及び天井板により囲まれる構成を言い、人が住む居住空間を囲む壁、床及び天井により囲まれる構成、人が居る居所空間を囲む壁、床及び天井により囲まされる構成、人が住む家屋全体の構成等を言う。空間区画部１１１〜１１５は、一つの部屋であっても複数の部屋で構成されても良い。
（水栓）
水栓１３１〜１３５は、分岐管１２１〜１２５の端部に取り付けられる。水栓１３１〜１３５は、図示しない蛇口を有し、蛇口を一方向にひねることにより水が出され、蛇口を他方向にひねることにより水が止まる。
【００２６】
（給水システムの位置）
なお、前述の給水システム１００は、例えば、建造物１１０の１階部分に、空間区画部１１１に隣接されて配置されている。図１中では、給水システム１００の構成を主に説明するために給水システム１００が建造物１１０外に記載されているが、実際には給水システム１００は建造物１１０の内部に配置されている。
【００２７】
以上のような給水システム１００の第１ポンプ群６１〜６４は、作業者によって以下のように取り替えられる。以下、図２〜図９を参照しつつ説明する。
【００２８】
〔特定ポンプ取外し工程〕
図２は、第１ポンプ群６１〜６４を取外す工程を示す工程図である。図２に示されるように、作業者は、第１ポンプ群６１〜６４が有する複数のポンプ６１〜６４のうちの特定のポンプ６１を特定ポンプ（仮設ポンプ）として選択する。作業者は、ポンプ６１用の前段並列管１１、中段並列管３１及び後段並列管４１の水の流通を停止させるようにポンプ６１用の前段バルブ２１及び後段バルブ５１を閉じる。作業者は、ポンプ６１及び中段並列管３１を、ポンプ６１用の前段バルブ２１及び後段並列管４１から取り外す。
【００２９】
〔仮設ポンプ接続工程〕
図２に示されるように、作業者は、第１ポンプ群６１〜６４の位置とは別の位置に仮設ポンプとしてのポンプ６１を配置する。仮設ポンプにはポンプ６１〜６４のうちの１つが用いられ、本実施形態ではポンプ６１が用いられる。仮設ポンプとして用いられるときのポンプ６１の電源は、ポンプ６１が取り外された第１ポンプ群６２〜６４用の電源とは異なる電源に接続される。図１中の動力分電盤９２は、第１ポンプ群６１〜６４に用いられる容量として、３台のポンプ分しか備えていない場合がある。その場合、動力分電盤９２は、第１ポンプ群におけるポンプ６１〜６４の全てを駆動させることができない場合がある。または、第１ポンプ群６１〜６４への配線を分岐させて仮設ポンプに用いようとしても第１ポンプ群６１〜６４を取外すときに電源をオフにしなければならない場合があり、これによって仮設ポンプとしてのポンプ６１が停止することが考えられる。そのため、仮設ポンプ用には、仮設インバータ１０２及び仮設電源１０３（図２参照）が用いられる。なお、仮設電源１０３に代えて仮設発動機が用いられてもよい。動力分電盤９２の近くに消火栓用等の別の電源がある場合には、そのような電源が仮設ポンプに用いられてもよい。
【００３０】
作業者は、前段迂回管７１により、ポンプ６１用の前段バルブ２１と、仮設ポンプとしてのポンプ６１の導入口との間を接続する。作業者は、後段迂回管７２により、仮設ポンプとしてのポンプ６１の排出口と、合流管３９における後段並列管４１〜４４よりも下流の部位（すなわち分水栓取付部位１３９）との間を接続する。このうち、後段迂回管７２の取付方法を以下に説明する。
【００３１】
図３Ａ、図３Ｂ、図４Ａ、図４Ｂは、合流管３９に対して後段迂回管７２を取り付ける工程を示す概略図である。図３Ａ、図３Ｂ、図４Ａ、図４Ｂにおいては、断面を示すハッチングは省略されている。図３Ａに示される合流管３９には、水道水が流れている。この合流管３９に対してサドル分水栓９３が取り付けられる。サドル分水栓９３は、弁収納部９４と、弁９５と、を備える。弁９５は、弁収納部９４から伸び出し可能及び弁収納部９４に退避可能に構成されている。穿孔機９６は、錐９７と、ハンドル９８と、を備える。ハンドル９８が一方向に回されると、錐９７は、穿孔機９６の筐体からサドル分水栓９３及び合流管３９の方に回転しながら進入し、ハンドル９８が他方向に回されると、錐９７は、穿孔機９６の筐体へと回転しながら退避する。
【００３２】
図３Ｂに示されるように、ハンドル９８が一方向に回されることにより、錐９７が穿孔機９６から回転しながら伸び出し、合流管３９の壁面に孔９９を形成する。合流管３９を流れる水道水は、サドル分水栓９３に流れ込む。
【００３３】
図４Ａに示されるように、弁９５が弁収納部９４から伸び出し、サドル分水栓９３を閉じる。それから、穿孔機９６がサドル分水栓９３から外される。
【００３４】
図４Ｂに示されるように、サドル分水栓９３に対して後段迂回管７２が取り付けられる。そして、弁９５が弁収納部９４に退避させられる。これにより、合流管３９と後段迂回管７２とが連通する。そして、水が後段迂回管７２から合流管３９へと流動することが、できるようになる。
【００３５】
〔ポンプ群取替工程〕
図５は、第１ポンプユニット６０を取外した様子を示す工程図である。図６は、第２ポンプユニット８０を取り付けた様子を示す工程図である。図７は、図６に対応する工程図であり、第２ポンプユニット８０を取り付けるときに一部のポンプ８２〜８４及び中段並列管３２〜３４を、前段バルブ２２〜２４に取り付けた様子を示す工程図である。ポンプユニット８０は、第２ポンプ群８１〜８４、後段給水管群４０、及び制御部５０がユニット化されて構成されている。
【００３６】
作業者は、図５に示される特定のポンプ６１以外の第１ポンプ群６２〜６４を有する第１ポンプユニット６０を取外す。そして、作業者は、図６に示されるように、第１ポンプ群６１〜６４とは別の第２ポンプ群８１〜８４を取り付ける。こうして取替作業が行われる。このとき、作業者は、第２ポンプ群８１〜８４が有する一部のポンプ８２，８３，８４及び中段並列管３２，３３，３４を、ポンプ６１用以外の前段バルブ２２，２３，２４及び後段並列管４２，４３，４４に接続した状態にする。作業者は、ポンプ６１用以外の前段並列管１２，１３，１４、中段並列管３２，３３，３４及び後段並列管４２，４３，４４に水が流通するように、ポンプ６１用以外の前段バルブ２２，２３，２４及び後段バルブ５２，５３，５４を開く。
【００３７】
〔仮設ポンプ取外し工程〕
図８は、外部に配置されたポンプ６１を取外した様子を示す工程図である。作業者は、ポンプ６１、前段迂回管７１、及び後段迂回管７２をポンプ６１用の前段並列管１１及び合流管３９から取り外す。
【００３８】
〔残りポンプ接続工程〕
図９は、第２ポンプ群８１〜８４が有する残りのポンプ８１及び中段並列管３１を、前段バルブ２１に取り付けた様子を示す工程図である。作業者は、第２ポンプ群８１〜８４が有する残りのポンプ８１を、ポンプ６１用の前段バルブ２１に接続する。作業者は、ポンプ６１用の前段並列管１１、中段並列管３１及び後段並列管４１に水が流通するようにポンプ６１用の前段バルブ２１及び後段バルブ５１を開く。
【００３９】
本実施形態の給水維持方法によれば、例えば、以下の効果が奏される。
本実施形態の給水維持方法は、複数のポンプ６１〜６４を有する第１ポンプ群６１〜６４と、複数のポンプ６１〜６４への水が流通する前段給水管群１０と、複数のポンプ６１〜６４から複数の各階の空間区画部１１１〜１１５への水が流通する後段給水管群４０と、複数のポンプ６１〜６４の駆動を制御する制御部５０と、を備える給水システムについて、第１ポンプ群６１〜６４を取り替えるときの給水維持方法であって、第１ポンプ群６１〜６４により給水しつつ、第１ポンプ群６１〜６４の位置とは別の位置にポンプ６１を配置し、前段迂回管７１によりポンプ６１と前段給水管群１０との間を接続し、後段迂回管７２によりポンプ６１と後段給水管群４０との間を接続し、ポンプ６１を併用して給水する仮設ポンプ接続工程と、ポンプ６１により給水しつつ、第１ポンプ群６１〜６４の一部６２〜６４又は全部６１〜６４を水の流通を停止させるようにバルブを閉じてから別の第２ポンプ群８１〜８４に取り替え、別の第２ポンプ群８１〜８４の一部８２〜８４又は全部８１〜８４を水の流通を再開させるようにバルブを開いて併用して給水させるポンプ群取替工程と、別の第２ポンプ群８１〜８４の一部８２〜８４又は全部８１〜８４により給水しつつ、ポンプ６１を水の流通を停止させるようにバルブを閉じてから取外す仮設ポンプ取外し工程と、を備える。
【００４０】
そのため、第１ポンプ群６１〜６４の取付位置において、既設の第１ポンプ群６１〜６４から別の第２ポンプ群８１〜８４に取り替える作業を、給水を維持しながら行うことができる。すなわち、第１ポンプ群６１〜６４が駆動している間に作業者は外部に仮設されたポンプ６１、前段迂回管７１及び後段迂回管７２により水道水の迂回経路を作り出せる。そして、仮設のポンプ６１が駆動している間に作業者は第１ポンプユニット６０を第２ポンプユニット８０に取り替えることができる。それから、第２ポンプユニット８０の一部の第２ポンプ群８２〜８４が駆動している間に作業者はポンプ６１を取外すことができる。従って、ポンプユニットの交換にあたり、給水が停止することがない。
また、第１ポンプ群６１〜６４から第２ポンプ群８１〜８４への取替作業において、第１ポンプ群６２〜６４及び外部のポンプ６１を併用する駆動時間、並びに第２ポンプ群８２〜８４及び外部のポンプ６１を併用する駆動時間があり、水量を可能な限り減少させずに済むようにされている。
【００４１】
本実施形態の給水維持方法は、複数のポンプ６１〜６４を有する第１ポンプ群６１〜６４と、複数のポンプ６１〜６４への水が流通する前段給水管群１０と、複数のポンプ６１〜６４から複数の各階の空間区画部１１１〜１１５への水が流通する後段給水管群４０と、複数のポンプ６１〜６４の駆動を制御する制御部５０と、を備える給水システム１００について、第１ポンプ群６１〜６４を取り替えるときの給水維持方法であって、複数のポンプ６１〜６４のうちの一部のポンプ６１の使用を停止し、第１ポンプ群６１〜６４により給水しつつ、第１ポンプ群６１〜６４の位置とは別の位置に、停止した一部のポンプ６１を仮設ポンプとして配置し、前段迂回管７１によりポンプ６１と前段給水管群１０との間を接続し、後段迂回管７２によりポンプ６１と後段給水管群４０との間を接続し、ポンプ６１を併用して給水する仮設ポンプ接続工程と、ポンプ６１により給水しつつ、第１ポンプ群６１〜６４の一部６２〜６４又は全部６１〜６４を水の流通を停止させるようにバルブを閉じてから別の第２ポンプ群８１〜８４に取り替え、別の第２ポンプ群８１〜８４の一部８２〜８４又は全部８１〜８４を水の流通を再開させるようにバルブを開いて併用して給水させるポンプ群取替工程と、別の第２ポンプ群８１〜８４の一部８２〜８４又は全部８１〜８４により給水しつつ、ポンプ６１を水の流通を停止させるようにバルブを閉じてから取外す仮設ポンプ取外し工程と、を備える。
【００４２】
仮設ポンプは、ポンプ群６１〜６４が有していたポンプ６１である。そのため、給水システム１００に元々備わっているポンプ６１が使用されるので、作業者は、仮設ポンプを持参する手間がなくなり、第１ポンプ群６１〜６４から第２ポンプ群８１〜８４へ容易に交換することができる。
【００４３】
また、本実施形態の給水維持方法は、複数のポンプ６１〜６４を有する第１ポンプ群６１〜６４と、複数のポンプ６１〜６４への水が流通する前段給水管群１０と、複数のポンプ６１〜６４から複数の水供給先としての各階の空間区画部１１１〜１１５への水が流通する後段給水管群４０と、複数のポンプ６１〜６４の駆動を制御する制御部５０と、を備える給水システム１００について、第１ポンプ群６１〜６４を取り替えるときの給水維持方法である。そして、前段給水管群１０は、複数のポンプ６１〜６４それぞれに対応して並列する複数の前段並列管１１〜１４、及び複数の前段並列管１１〜１４それぞれを開閉する複数の前段バルブ２１〜２４を有する。後段給水管群４０は、複数のポンプ６１〜６４それぞれに対応して並列する複数の後段並列管４１〜４４、及び複数の後段並列管４１〜４４が合流して水が流通する合流管３９を有する。
そして、本実施形態の給水維持方法は、第１ポンプ群６１〜６４が有する複数のポンプ６１〜６４のうちの特定のポンプ６１を特定ポンプとして選択し、水の流通を停止させるようにポンプ６１用の前段バルブ２１を閉じ、ポンプ６１を第１ポンプ群６１〜６４から取り外す特定ポンプ取外し工程と、第１ポンプ群６１〜６４の位置とは別の位置にポンプ６１を配置し、前段迂回管７１によりポンプ６１用の前段並列管１１とポンプ６１との間を接続すると共に、後段迂回管７２によりポンプ６１と合流管３９における複数の後段並列管４１〜４４よりも下流の分水栓取付部位１３９との間を接続し、前段迂回管７１及び後段迂回管７２に水が流通するようにポンプ６１用の前段バルブ２１を開く仮設ポンプ接続工程と、ポンプ６１以外の第１ポンプ群６２〜６４を別の第２ポンプ群８１〜８４に取り替え、別の第２ポンプ群８１〜８４が有する一部のポンプ８２〜８４を、ポンプ６１用以外の前段並列管１２〜１４及び後段並列管４２〜４４に接続した状態にし、ポンプ６１用以外の前段並列管１２〜１４及び後段並列管４２〜４４に水が流通するようにポンプ６１用以外の前段バルブ２２〜２４を開くポンプ群取替工程と、ポンプ６１、前段迂回管７１、及び後段迂回管７２をポンプ６１用の前段並列管１１及び合流管３９から取り外す仮設ポンプ取外し工程と、第２ポンプ群８１〜８４が有する残りのポンプ８１を、ポンプ６１用の前段並列管１１及び後段並列管４１に接続に接続した状態にし、ポンプ６１用の前段並列管１１及び後段並列管４１に水が流通するようにポンプ６１用の前段バルブ２１を開く残りポンプ接続工程と、を備える。
【００４４】
そのため、前段バルブ２１が外部のポンプ６１と接続されて用いられるので、連結管９に孔が開けられて、ポンプ６１の前段迂回管７１が連結管９の孔に直接に接続される場合よりも、工数が減少する。
【００４５】
なお、本実施形態の給水維持方法で用いられる複数の第１ポンプ群６１〜６４、複数の第２ポンプ群８１〜８４は、加圧給水ポンプである。そのため、高架水槽及び高架水槽への揚水管が不要であり、高架水槽の年次点検及び清掃費用も不要である。
【００４６】
〔変形例〕
以上、本発明の実施形態について説明した。本実施形態では、仮設ポンプとして第１ポンプ群６１〜６４のポンプ６１が用いられる方法であった。この実施形態に限定されることなく、仮設ポンプとして作業者が持参するポンプが用いられる方法であってもよい。この場合に、このポンプも、第１ポンプ群６１〜６４用の電源とは異なる電源すなわち仮設インバータ１０２及び仮設電源１０３に接続される。
【００４７】
本実施形態では、第１ポンプ群６１〜６４及び第２ポンプ群８１〜８４は、ポンプの数が４つであったが、この実施形態に限定されることなく、２つ、３つ、または５以上の構成であってもよい。
【００４８】
本実施形態では、ポンプ６１〜６４及び中段並列管３１〜３４を前段バルブ２１〜２４から取り外す構成であったが、この実施形態に限定されることなく、前段並列管１１〜１４、中段並列管３１〜３４及び前段バルブ２１〜２４が一体化されていて、ポンプ６１〜６４を中段並列管３１〜３４の下流側の端部から取り外すことにより実質的に前段並列管１１〜１４から取り外すような構成であってもよい。
【００４９】
実施形態では、前段迂回管７１は、前段バルブ２１に接続される方法であったが、この実施形態に限定されることなく、前段迂回管７１を連結管９に接続する方法であってもよい。
【００５０】
実施形態では、前段バルブ２１〜２４、後段バルブ５１〜５４、バルブ１０１の開閉は、作業者が行う構成であったが、この構成に限定されることなく、制御部５０によって前段バルブ２１〜２４、後段バルブ５１〜５４、バルブ１０１を開閉する構成であってもよい。
【００５１】
実施形態では、水道引き込み管８と連結管９との間に、受水槽１が配置される構成であってが、この構成に限定されることなく、水道引き込み管８と連結管９とを連結させて連結管９を構成し、受水槽１が配置されない構成であってもよい。この場合には、第１ポンプ群６１〜６４及び第２ポンプ８１〜８４は、受水槽１及び高架水槽を用いずに水道引き込み管８から水栓１３１〜１３５へと直接に水を供給する給水システム（増圧直結給水方式）に適用されるものであるから、増圧ポンプとも言う。この構成によれば、高架水槽、高架水槽への揚水管及び受水槽１が不要であり、高架水槽、揚水管及び受水槽の年次点検及び清掃費用も不要である。
【００５２】
実施形態では、空間区画部１１１〜１１５の各々は、床、壁及び天井板により囲まれる構成であったが、この構成に限定されることなく、床を有するが壁及び天井板を有しない構成であってもよい。例えば、建造物１１０の屋上において床に水飲み場を設置するような構成であり、この場合には壁及び天井板を有しない構成であってもよい。あるいは、床及び壁を有するが天井板を有しない構成であってもよい。例えば、建造物１１０の屋上において壁に水飲み場を設置するような構成であり、この場合には天井板を有しない構成であってもよい。
【００５３】
実施形態では、給水システム１００は建造物１１０の内部に配置されている構成であったが、この構成に限定されることなく、給水システム１００の全部又は一部が建造物１１０の外部に配置される構成であってもよい。
【符号の説明】
【００５４】
１          受水槽（貯水槽）
９          連結管
１０        前段給水管群
１１〜１４  前段並列管
２０        後段給水管群
２１〜２４  前段バルブ
３１〜３４  中段並列管
３９        合流管
４０        後段給水管群
４１〜４４  後段並列管
５０        制御部
５１〜５４  後段バルブ
６０        第１ポンプユニット
６１  ポンプ（仮設ポンプ、特定ポンプ）
６１〜６４  ポンプ（ポンプ群）
７１        前段迂回管
７２        後段迂回管
８０        第２ポンプユニット
８１〜８４  ポンプ
１００      給水システム
１３９      分水栓取付部位
【図１】
2019163655.tif 000003
【図２】
2019163655.tif 000004
【図３Ａ】
2019163655.tif 000005
【図３Ｂ】
2019163655.tif 000006
【図４Ａ】
2019163655.tif 000007
【図４Ｂ】
2019163655.tif 000008
【図５】
2019163655.tif 000009
【図６】
2019163655.tif 000010
【図７】
2019163655.tif 000011
【図８】
2019163655.tif 000012
【図９】
2019163655.tif 000013